(57)【要約】【課題】本発明は建築、構築物の外壁材の土台部に使用するスタータ兼シール受け部材に関するものである。【解決手段】垂直平面状の固定面Ａ１と、固定面Ａ１の上端を屋外側へ突出した下面Ａ３と、下面Ａ３の先端を上方に突出した係止面Ａ４とから形成した係止部Ａ２と、固定面Ａ１の下端を屋外側へ突出した当接面Ａ６と、当接面Ａ６の先端を屋外側で上方に突出した受け面Ａ７とから長尺状に形成したスタータ兼シール受け部材Ａである。【選択図】図１
2013245431.tif 000002
【特許請求の範囲】
【請求項１】
垂直平面状の固定面と、該固定面の上端を屋外側へ突出した下面と、該下面の先端を上方に突出した係止面とから形成した係止部と、固定面の下端を屋外側へ突出した当接面と、該当接面の先端を屋外側で上方に突出した受け面とから長尺状に形成したことを特徴とするスタータ兼シール受け部材。
【発明の詳細な説明】
【技術分野】
【０００１】
本発明は建築、構築物の外壁材の土台部に使用するスタータ兼シール受け部材に関するものである。
【背景技術】
【０００２】
一般に、横張り状の外壁材を施工する際に、基礎部分の土台部にスタータを形成し、土台部と外壁材間から、躯体内部に風雨が浸入しないようにシーリング材を形成する構造が上市されている。（例えば、特許文献１、２参照）。
【先行技術文献】
【特許文献】
【０００３】
【特許文献１】特開平１１−３１０９６６
【特許文献２】特許第３４４８２１９
【発明の概要】
【発明が解決しようとする課題】
【０００４】
しかしながら特許文献１、２は、スタータと土台部間にシーリング材を形成する構造であり、外壁材とスタータ間から外壁材裏面内部に風雨が浸入し、躯体、外壁材の劣化を促進してしまう課題があった。
【課題を解決するための手段】
【０００５】
本発明はこのような欠点を解決するために、垂直平面状の固定面と、固定面の上端を屋外側へ突出した下面と、下面の先端を上方に突出した係止面とから形成した係止部と、固定面の下端を屋外側へ突出した当接面と、当接面の先端を屋外側で上方に突出した受け面とから長尺状に形成したスタータ兼シール受け部材を提供するものである。
【発明の効果】
【０００６】
本発明に係るスタータ兼シール受け部材によれば、（１）水切り、スタータ兼シール受け部材、外壁材間の下端部に躯体まで達する空隙が形成されるのを防止し、外壁材、躯体の風雨による劣化を防止出来る。（２）虫等の害虫が躯体内部に侵入することがない。（３）十分な接着面が確保出来、長期に亘って防水性を維持出来る。等の特徴・効果がある。
【図面の簡単な説明】
【０００７】
【図１】本発明に係るスタータ兼シール受け部材と水切りの一実施例を示す断面図である。
【図２】本発明に係るスタータ兼シール受け部材の施工状態を示す断面図である。
【図３】本発明に係るスタータ兼シール受け部材の施工に使用する外壁材の一例を示す断面図である。
【図４】本発明に係るスタータ兼シール受け部材の施工に使用する外壁材の一例を示す部分拡大断面図である。
【図５】本発明に係るスタータ兼シール受け部材に施工に使用する外壁材の一例を示す部分拡大断面図である。
【図６】本発明に係るスタータ兼シール受け部材の施工に使用する外壁材の施工状態を示す断面図である。
【図７】本発明に係るスタータ兼シール受け部材の施工順序を示す断面図である。
【図８】本発明に係るスタータ兼シール受け部材の施工順序を示す断面図である。
【図９】本発明に係るスタータ兼シール受け部材の施工順序を示す断面図である。
【図１０】本発明に係るスタータ兼シール受け部材の施工順序を示す断面図である。
【図１１】本発明に係るスタータ兼シール受け部材のその他の実施例を示す断面図である。
【図１２】本発明に係るスタータ兼シール受け部材の施工に使用する外壁材のその他の実施例を示す断面図である。
【発明を実施するための形態】
【実施例】
【０００８】
以下に、図面を用いて本発明に係るスタータ兼シール受け部材の一実施例について詳細に説明する。図１（ａ）、（ｂ）はスタータ兼シール受け部材Ａと水切りＢを示す断面図、図２はスタータ兼シール受け部材Ａの施工状態を示す断面図、図３は外壁材Ｃの一例を示す断面図、図４は外壁材Ｃの一例を示す部分拡大断面図、図５は外壁材Ｃの一例を示す部分拡大断面図、図６は外装材Ｃの施工状態を示す断面図である。なお、αは躯体、βは固定具、γは土台である。
【０００９】
スタータ兼シール受け部材Ａは図１（ａ）に示すように、垂直平面状の固定面Ａ１と、固定面Ａ１の上端を屋外側へ突出した下面Ａ３と、下面Ａ３の先端を上方に突出した係止面Ａ４と、係止面Ａ４の先端を下方に折り返した舌面Ａ５とから形成した係止部Ａ２と、固定面Ａ１の下端を屋外側へ突出した当接面Ａ６と、当接面Ａ６の先端を屋外側で上方に傾斜して突出した受け面Ａ７とから形成した長尺状部材であり、図２に示すように水切りＢの固定面Ｂ１上に形成するものである。
【００１０】
その素材としては、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）等、（勿論、これらを各種色調に塗装したカラー板、エンボス加工板を含む）の金属製板材である。
【００１１】
スタータ兼シール受け部材Ａの係止部Ａ２は後記する外壁材Ｃの雄型連結部４側の嵌合面２１を係合することにより外壁材Ｃの雄型連結部４を躯体αに固定する部分である。
【００１２】
スタータ兼シール受け部材Ａの当接面Ａ６と受け面Ａ７は図２に示すようにバックアップ材Ｄとシーリング材Ｅの埋設下地として機能するものである。特に受け面Ａ７は上方に傾斜して突出することにより外壁材Ｃの突出片１２の裏面部分にシーリング材Ｅを埋設可能な空間Ｋを形成し、外壁材Ｃとスタータ兼シール受け部材Ａ間にシーリング材Ｅを埋設可能にしたものである。
【００１３】
このように形成することにより、スタータ兼シール受け部材Ａ、水切りＢ、外壁材Ｃ間の下端部に躯体αまで達する空隙が形成されるのを防止し、外壁材Ｃ、躯体αの風雨による劣化を防止出来るものである。なお、スタータ兼シール受け部材Ａの係止部Ａ２先端から当接面Ａ６の高さをＨ、固定面Ａ１から受け面Ａ７までの幅をＷ、図３に示す外壁材Ｃの雄型連結部４の嵌合溝２４から突出片１２先端までの高さをｈ、外壁材Ｃの裏面から突出片１２の裏面までの幅をＷ１とすると、Ｈ≦ｈ、Ｗ≦Ｗ１の関係である。
【００１４】
Ｂは水切りであり、図１（ｂ）に示すように、略垂直平面状の固定面Ｂ１と、固定面Ｂ１の下端を屋外側へ傾斜して突出した傾斜面Ｂ２と、傾斜面Ｂ２の先端を下方に垂下した化粧面Ｂ３とから形成した長尺状部材であり、図２に示すように躯体αの土台部下端に形成するものである。
【００１５】
その素材としては、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）等、（勿論、これらを各種色調に塗装したカラー板、エンボス加工板を含む）の金属製板材である。
【００１６】
外壁材Ｃは表面材１と裏面材２で合成樹脂発泡体からなる芯材３をサンドイッチし、幅方向の上下端部に雄型連結部４と雌型連結部５を形成した長尺状の外壁材Ｃであり、図３、図４（ａ）、（ｂ）、図５、図６に示すように表面材１は化粧面ａの下端縁に表雄部１ａ、化粧面ａの上端縁に表雌部１ｂを形成したものであり、表雄部１ａは表面材１の下端縁を屋内側に屈曲すると共に上方に延長した下縁６と、下縁６と表面材１の下端部分よりなるカバー部７と、下縁６の先端を屋内側に屈曲した最奥縁８と、最奥縁８の先端を下方に垂下した上縁９と、下縁６と最奥縁８と上縁９とからなる係合溝１０と、上縁９の先端を屋内側に屈曲した当接縁１１と、下縁６とカバー部７と芯材３よりなる突出片１２とから形成したものである。
【００１７】
表雌部１ｂは表面材１の上端縁を屋内側に屈曲した段差片１３と、段差片１３の先端を上方に突出した固定片１４と、固定片１４の途中を屋内側に窪ませた固定溝１５と、固定片１４の先端を屋内側に屈曲すると共に下方へ垂下した下片１６と、固定片１４と下片１６とから形成した係合片１７と、下片１６の先端を屋内側に突出した当接片１８とから形成したものである。
【００１８】
裏面材２は、図３、図４（ａ）、（ｂ）、図５、図６に示すように下端縁に裏雄部２ａと上端縁に裏雌部２ｂを形成したものであり、裏雄部２ａは裏面材２の下端縁を屋外側に屈曲した下側面１９と、下側面１９の先端を上方に屈曲した内側面２０と、下側面１９と内側面２０とから形成した嵌合面２１と、内側面２０の先端を屋外側へ屈曲した最奥面２２と、最奥面２２の先端を下方に垂下した外側面２３と、内側面２０と最奥面２２と外側面２３とから形成した嵌合溝２４と、外側面２３の先端を屋外側へ屈曲した当接面２５とから形成したものである。
【００１９】
裏雌部２ｂは裏面材２の上端縁を屋外側へ屈曲した上側辺２６と、上側辺２６の先端を上方へ屈曲した内側辺２７と、上側辺２６と内側辺２７とから形成した段差２８と、内側辺２７の先端を下方に折り返した外側辺２９と、内側辺２７と外側辺２９とから形成した突出辺３０と、外側辺２９の先端を屋外側へ屈曲した当接辺３１とから形成したものである。
【００２０】
また、雄係合片３２は、表面材１の上縁９と当接縁１１と裏面材２の外側面２３と当接面２５と芯材３とから形成されたものであり、雌係合溝３３は、表面材１の下片１６と当接片１８と裏面材２の外側辺２９と当接辺３１と芯材３とから形成されたものである。なお、図示しないが雄係合片３２と雌係合溝３３の芯材３部分には、芯材３充填時に芯材３が外部に漏れ出さないようにサイドテープを形成するものである。
【００２１】
１ｃは端部片であり、外壁材Ｃの長手方向の左右端の端部Ｃ１の表面材１を屋内側へ屈曲したものである。なお、表面材１の端部をＬ字状に屈曲して端部片１ｃとすることも出来る。
【００２２】
Ｐ、Ｐ１はシーリング材であり、耐火性、防水性、気密性、等の向上のために形成したものである。例えば定型で弾性のあるシーリング材Ｐ、Ｐ１としては、例えばポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているものである。また、硬化型のシーリング材Ｐ（シーリング材）としてはシリコーン系（反応硬化型、湿気硬化型）、変成シリコーン系（反応硬化型）、ポリサルファイド系（反応硬化型）、ポリウレタン系（反応硬化型、湿気硬化型）、ＳＢＲ系（乾燥硬化型）、アクリル系（乾燥硬化型）等よりなるものであり、主に防水材、気密材等の機能として有用なものである。勿論、これらの成分中に無機材等の難燃材、あるいは耐火性、防火性を有する例えばポリリン酸アンモニウム、水酸化アルミニウム、フェノール樹脂粒、カーボンブラック、グラファイト（発泡、非発泡）等の難燃材を混入した耐火性のあるシーリング材を使用しても良いものである。
【００２３】
表面材１と外壁材裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）等、（勿論、これらを各種色調に塗装したカラー板、エンボス加工板を含む）の一種をロール成形、プレス成形、押出成形等によって各種形状に成形したものである。また、裏面材２としてはアルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものも使用出来るものである。
【００２４】
また、芯材３はポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、表面材１、または裏面材２の裏面側に吐出させ、加熱して反応・発泡・硬化させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、防火性、耐火性を向上させることも出来る。
【００２５】
勿論、外壁材Ｃとして雄型連結部４の表面材１下端部分の突出片１２が形成された外壁材Ｃであれば、本発明に係るスタータ兼シール受け部材Ａを使用出来るものである。
【００２６】
Ｄはバックアップ材、Ｅはシーリング材Ｅであり、バックアップ材Ｄとしては例えばポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているものである。また、Ｅはシーリング材Ｅとしてはシリコーン系（反応硬化型、湿気硬化型）、変成シリコーン系（反応硬化型）、ポリサルファイド系（反応硬化型）、ポリウレタン系（反応硬化型、湿気硬化型）、ＳＢＲ系（乾燥硬化型）、アクリル系（乾燥硬化型）等よりなるものである。
【００２７】
そこで、図面を用いて本発明に係るスタータ兼シール受け部材の施工方法について説明する。まず図７に示すような躯体α、土台γ部分に図１（ａ）、（ｂ）に示すような水切りＢとスタータ兼シール受け部材Ａを施工する、その後図８に示すよう図３〜図５に示すような長尺状の外壁材Ｃを施工する。外壁材Ｃの施工が完了したら、図９に示すようにバックアップ材Ｄを水切りＢとスタータ兼シール受け部材Ａ間に形成し、その後図１０に示すようにシーリング材Ｅを水切りＢの傾斜面Ｂ２、スタータ兼シール受け部材Ａの当接面Ａ６と受け面Ａ７、外壁材Ｃの突出片１２裏面に埋設し、外壁材Ｃの下端部の施工を完了するものである。
【００２８】
以上説明したのは本発明に係るスタータ兼シール受け部材の一実施例にすぎず、図１１（ａ）〜（ｄ）、図１２に示すように形成することが出来るものである。
【００２９】
すなわち、図１１（ａ）〜（ｄ）はスタータ兼シール受け部材Ａのその他の実施例を示す断面図である。
【００３０】
図１２は外壁材Ｃのその他の実施例を示す断面図であり、無機耐火材Ｆを形成したものである。
【符号の説明】
【００３１】
α  躯体
β  固定具
γ  土台
ａ  化粧面
Ａ  スタータ兼シール受け部材
Ａ１  固定面
Ａ２  係止部
Ａ３  下面
Ａ４  係止面
Ａ５  舌面
Ａ６  当接面
Ａ７  受け面
Ｂ  水切り
Ｂ１  固定面
Ｂ２  傾斜面
Ｂ３  化粧面
Ｃ  外壁材
Ｃ１  端部
Ｄ  バックアップ材
Ｅ  シーリング材
Ｆ  無機耐火材
Ｋ  空間
Ｐ  シーリング材
Ｐ１  シーリング材
１  表面材
１ａ  表雄部
１ｂ  表雌部
１ｃ  端部片
２  裏面材
２ａ  裏雄部
２ｂ  裏雌部
３  芯材
４  雄型連結部
５  雌型連結部
６  下縁
７  カバー部
８  最奥縁
９  上縁
１０  係合溝
１１  当接縁
１２  突出片
１３  段差片
１４  固定片
１５  固定溝
１６  下片
１７  係合片
１８  当接片
１９  下側面
２０  内側面
２１  嵌合面
２２  最奥面
２３  外側面
２４  嵌合溝
２５  当接面
２６  上側辺
２７  内側辺
２８  段差
２９  外側辺
３０  突出辺
３１  当接辺
３２  雄係合片
３３  雌係合溝
【図１】
2013245431.tif 000003
【図２】
2013245431.tif 000004
【図３】
2013245431.tif 000005
【図４】
2013245431.tif 000006
【図５】
2013245431.tif 000007
【図６】
2013245431.tif 000008
【図７】
2013245431.tif 000009
【図８】
2013245431.tif 000010
【図９】
2013245431.tif 000011
【図１０】
2013245431.tif 000012
【図１１】
2013245431.tif 000013
【図１２】
2013245431.tif 000014